(57)【要約】  【課題】構成の複雑化を生じることなく、トラック間のクロストークを低減する。  【解決手段】ランドとグルーブの双方に信号が記録される記録媒体を再生する。ほぼ０°の位相差を与えた第１の信号光と参照光の組と、ほぼ１８０°の位相差を与えた第２の信号光と参照光の組と、ほぼ９０°の位相差を与えた第３の信号光と参照光の組と、ほぼ２７０°の位相差を与えた第４の信号光と参照光の組をそれぞれ生成する。第１受光素子で得られる第１受光信号と第２受光素子で得られる第２受光信号との差分である第１差分信号と、第３受光素子で得られる第３受光信号と第４受光素子で得られる第４受光信号との差分である第２差分信号とを計算し、第１差分信号および第２差分信号を使用した演算を行って、参照光の位相ズレと、ランドおよびグルーブ間の段差に応じた値の位相オフセットとが除去された再生信号を生成する再生信号生成回路とを備える。【選択図】図３
2015028823.tif 000002
【特許請求の範囲】
【請求項１】
ランドとグルーブの双方に信号が記録される記録媒体に対して、光源より発せられた光を照射して前記ランドと前記グルーブの記録信号の双方を反映した信号光を得、且つ前記光源より発せられた光から参照光を生成し、前記信号光と前記参照光とを重ね合わせた重ね合わせ光に対し、ほぼ０°の位相差を与えた第１の信号光と参照光の組と、ほぼ１８０°の位相差を与えた第２の信号光と参照光の組と、ほぼ９０°の位相差を与えた第３の信号光と参照光の組と、ほぼ２７０°の位相差を与えた第４の信号光と参照光の組をそれぞれ生成する光学系と、
前記第１の信号光と参照光の組を第１受光素子、前記第２の信号光と参照光の組を第２受光素子、前記第３の信号光と参照光の組を第３受光素子、前記第４の信号光と参照光の組を第４受光素子によってそれぞれ受光する受光部と、
前記第１受光素子で得られる第１受光信号と前記第２受光素子で得られる第２受光信号との差分である第１差分信号と、前記第３受光素子で得られる第３受光信号と前記第４受光素子で得られる第４受光信号との差分である第２差分信号とを計算し、
前記第１差分信号および前記第２差分信号を使用した演算を行って、前記参照光の位相ズレと、前記ランドおよびグルーブ間の段差に応じた値の位相オフセットとが除去された再生信号を生成する再生信号生成回路と
を備える再生装置。
【請求項２】
前記参照光は、前記光源より発せられた光をミラーにて反射させることによって生成される請求項１に記載の再生装置。
【請求項３】
前記再生信号生成回路は、
前記第１差分信号の低域成分を抽出した信号である第１低域信号をcosθとし、前記第２差分
信号の低域成分を抽出した信号である第２低域信号をsinθとしたとき、
ａｒｃｔａｎθ
を計算することで前記信号光と前記参照光との位相ずれθの値を得、該値θと前記位相オフセットを用いて演算を行う
請求項１に記載の再生装置。
【請求項４】
前記位相オフセットは、（Ψ＝４πｎｄ／λ）（ｎは、屈折率、ｄは、前記ランドおよびグルーブ間の段差、λは光の波長）にほぼ等しいものとされる請求項３に記載の再生装置。
【請求項５】
前記再生信号生成回路は、
前記第１差分信号の値をａ、前記第２差分信号の値をｂとしたとき、
ａ・sin（Ψ−θ（ｔ））−ｂ・cos（Ψ−θ（ｔ））
の演算を行って再生信号を得る
請求項４に記載の再生装置。
【請求項６】
ランドとグルーブの双方に信号が記録される記録媒体に対して、光源より発せられた光を照射して前記ランドと前記グルーブの記録信号の双方を反映した信号光を得、且つ前記光源より発せられた光から参照光を生成し、前記信号光と前記参照光とを重ね合わせた重ね合わせ光に対し、ほぼ０°の位相差を与えた第１の信号光と参照光の組と、ほぼ１８０°の位相差を与えた第２の信号光と参照光の組と、ほぼ９０°の位相差を与えた第３の信号光と参照光の組と、ほぼ２７０°の位相差を与えた第４の信号光と参照光の組を光学系によってそれぞれ生成し、
前記第１の信号光と参照光の組を第１受光素子、前記第２の信号光と参照光の組を第２受光素子、前記第３の信号光と参照光の組を第３受光素子、前記第４の信号光と参照光の組を第４受光素子によってそれぞれ受光し、
前記第１受光素子で得られる第１受光信号と前記第２受光素子で得られる第２受光信号との差分である第１差分信号と、前記第３受光素子で得られる第３受光信号と前記第４受光素子で得られる第４受光信号との差分である第２差分信号とを計算し、
前記第１差分信号および前記第２差分信号を使用した演算を行って、前記参照光の位相ズレと、前記ランドおよびグルーブ間の段差に応じた値の位相オフセットとが除去された再生信号を生成する
再生方法。
【発明の詳細な説明】
【技術分野】
【０００１】
本開示は、光ディスク等の光媒体を再生するのに適用される再生装置および再生方法に関する。
【背景技術】
【０００２】
例えば多層光ディスクを再生する場合、信号光量の低下が生じ、信号の読み取りにエラーが発生する可能性が高くなる。この問題を解決するため、光の干渉を利用して検出信号を増幅するホモダイン検出法が知られている（特許文献１および特許文献２参照）。
【０００３】
特許文献１や特許文献２では、信号光と参照光とを干渉させた光を検波するホモダイン方式として、それぞれその位相差が９０°ずつ異なるようにされた４つの信号光・参照光の組について検波を行うようにされている。具体的には、位相差がそれぞれ０°、９０°、１８０°、２７０°とされた信号光・参照光の組について、それぞれ検波を行うものである。これらの各検波は、信号光と参照光とを干渉させた光についての光強度をそれぞれ検出することで行われる。
【０００４】
さらに、従来のホモダイン検出方法に比して再生信号のＳＮＲを向上させることができる再生装置が特許文献３に記載されている。
【先行技術文献】
【特許文献】
【０００５】
【特許文献１】特開２００８−２６９６８０号公報
【特許文献２】特開２００８−６５９６１号公報
【特許文献３】特開２０１３−５４８０１号公報
【発明の概要】
【発明が解決しようとする課題】
【０００６】
光ディスクにおいて、記録容量の増大のためには、グルーブトラックおよびランドトラックの両方にデータを記録する方法（ランド／グルーブ記録方式と適宜称する）が望ましい。上述した特許文献１乃至３においては、ランド／グルーブ記録方式については言及されていない。ランド／グルーブ記録方式の場合、トラックピッチが狭くなるので、トラック間クロストークの影響を受け易くなる。したがって、ホモダイン検出方法においても、トラック間クロストークをキャンセルできることが望ましい。
【０００７】
したがって、本開示の目的は、ホモダイン検出方式を採用すると共に、ランド／グルーブ記録方式の光媒体を良好に再生することができる再生装置および再生方法を提供することにある。
【課題を解決するための手段】
【０００８】
上述の課題を解決するために、本開示は、ランドとグルーブの双方に信号が記録される記録媒体に対して、光源より発せられた光を照射してランドとグルーブの記録信号の双方を反映した信号光を得、且つ光源より発せられた光から参照光を生成し、信号光と参照光とを重ね合わせた重ね合わせ光に対し、略０°の位相差を与えた第１の信号光と参照光の組と、略１８０°の位相差を与えた第２の信号光と参照光の組と、略９０°の位相差を与えた第３の信号光と参照光の組と、略２７０°の位相差を与えた第４の信号光と参照光の組をそれぞれ生成する光学系と、
第１の信号光と参照光の組を第１受光素子、第２の信号光と参照光の組を第２受光素子、第３の信号光と参照光の組を第３受光素子、第４の信号光と参照光の組を第４受光素子によってそれぞれ受光する受光部と、
第１受光素子で得られる第１受光信号と第２受光素子で得られる第２受光信号との差分である第１差分信号と、第３受光素子で得られる第３受光信号と第４受光素子で得られる第４受光信号との差分である第２差分信号とを計算し、
第１差分信号および第２差分信号を使用した演算を行って、参照光の位相ズレと、ランドおよびグルーブ間の段差に応じた値の位相オフセットとが除去された再生信号を生成する再生信号生成回路と
を備える再生装置である。
【発明の効果】
【０００９】
本開示によれば、ランド／グルーブ記録方式の光記録媒体をホモダイン検出方法を使用して良好に再生することができる。したがって、記録容量をさらに増大することができる。
【図面の簡単な説明】
【００１０】
【図１】本開示の一実施の形態で用いる光学系の構成を示す略線図である。
【図２】位相ダイバーシティ方式を用いる再生装置の信号生成系のブロック図である。
【図３】光記録媒体の再生状態を説明するための略線図である。
【図４】位相ダイバーシティ方式を説明するための略線図である。
【図５】再生対象とする光記録媒体の記録面の構造についての説明図である。
【図６】シミュレーションの光学系を示す略線図およびランドとグルーブとの段差をそれぞれ異なる値に設定したときの、トラックピッチとジッタとの関係をシミュレーションにより求めた結果を示したグラフである。
【図７】シミュレーションの光学系を示す略線図およびランドとグルーブとの段差をそれぞれ異なる値に設定したときの、トラックピッチとジッタとの関係をシミュレーションにより求めた結果を示したグラフである。
【図８】本開示の一実施の形態の信号生成系のブロック図である。
【図９】本開示の一実施の形態の再生状態の説明に用いる略線図である。
【図１０】本開示の一実施の形態におけるトラックピッチとジッタとの関係をシミュレーションにより求めた結果を示したグラフである。
【発明を実施するための形態】
【００１１】
以下に説明する実施の形態は、本開示の好適な具体例であり、技術的に好ましい種々の限定が付されている。しかしながら、本開示の範囲は、以下の説明において、特に本開示を限定する旨の記載がない限り、これらの実施の形態に限定されないものとする。
なお、本開示の説明は、下記の順序にしたがってなされる。
＜１．従来のホモダイン検出方法について＞
＜２．検出方法の一例＞
＜３．一実施の形態＞
＜４．変形例＞
【００１２】
＜１．従来のホモダイン検出方法について＞
本開示の一実施の形態の再生方法についての説明に先立ち、従来のホモダイン検出方法について説明しておく。以下では一例として、いわゆる位相ダイバーシティ方式によるホモダイン検出方法について説明する。
【００１３】
位相ダイバーシティ方式では、互いの位相差が９０°ずつ異なるようにされた４つの信号光・参照光の組を用いる。具体的に位相ダイバーシティ方式では、位相差がそれぞれほぼ０°、ほぼ１８０°、ほぼ９０°、ほぼ２７０°となるように調整された信号光・参照光の組について、それぞれ検波を行うようにされる。これらの各検波は、信号光と参照光とを干渉させた光についての光強度をそれぞれ検出することで行われる。
【００１４】
図１は、位相ダイバーシティ方式で用いる光学系の構成を主に示す。光記録媒体１は、再生装置に装填されると、スピンドルモータによって回転駆動される。光学系には、再生のためのレーザ光源となるレーザ（半導体レーザ）１０が設けられている。レーザ１０より出射されたレーザ光は、コリメーションレンズ１１を介して平行光となるようにされた後、１／２波長板１２を介して偏光ビームスプリッタ１３に入射する。
【００１５】
このとき、偏光ビームスプリッタ１３は、例えばＰ偏光を透過しＳ偏光を反射するように構成されているとする。１／２波長板１２の取り付け角度（レーザ光の入射面内において光軸を中心した回転角度）は、偏光ビームスプリッタ１３を透過して出力される光（Ｐ偏光成分）と反射して出力される光（Ｓ偏光成分）との比率（すなわち偏光ビームスプリッタ１３による分光比）がほぼ１：１となるように調整されているとする。
【００１６】
偏光ビームスプリッタ１３にて反射されたレーザ光は、１／４波長板１４を介した後、２軸アクチュエータ１６により保持された対物レンズ１５を介して光記録媒体１の記録層に集光するようにして照射される。
【００１７】
２軸アクチュエータ１６は、対物レンズ１５をフォーカス方向（光記録媒体１に対して接離する方向）およびトラッキング方向（光記録媒体１の半径方向：上記フォーカス方向とは直交する方向）に変位可能に保持される。２軸アクチュエータ１６には、フォーカスコイル、トラッキングコイルが備えられており、これらフォーカスコイル、トラッキングコイルにそれぞれ後述するフォーカスドライブ信号ＦＤ、トラッキングドライブ信号ＴＤが供給される。対物レンズ１５は、フォーカスドライブ信号ＦＤ、トラッキングドライブ信号ＴＤにしたがってフォーカス方向、トラッキング方向にそれぞれ変位する。
【００１８】
光記録媒体１の記録層からの反射光は、対物レンズ１５および１／４波長板１４を介して偏光ビームスプリッタ１３に入射される。偏光ビームスプリッタ１３に入射した反射光（復路光）は、１／４波長板１４による作用と記録層における反射時の作用とにより、その偏光方向が、レーザ１０側から入射し該偏光ビームスプリッタ１３にて反射された光（往路光とする）の偏光方向に対して９０°異なったものとなっている。すなわち、反射光は、Ｐ偏光で偏光ビームスプリッタ１３に入射する。このため、反射光は、偏光ビームスプリッタ１３を透過する。なお、以下、このように偏光ビームスプリッタ１３を透過することになる光記録媒体１の記録信号を反映した反射光のことを、信号光と称する。
【００１９】
図１において、レーザ１０より出射され偏光ビームスプリッタ１３を透過したレーザ光（Ｐ偏光）は、ホモダイン検出方式における参照光として機能する。偏光ビームスプリッタ１３を透過した参照光は、図中の１／４波長板１７を介した後、ミラー１８にて反射されて、再び１／４波長板１７を通過して偏光ビームスプリッタ１３に入射する。
【００２０】
ここで、このように偏光ビームスプリッタ１３に入射する参照光（復路光）は、１／４波長板１７による作用とミラー１８での反射時の作用とにより、その偏光方向が往路光としての参照光とは９０°異なるものとされる（つまりＳ偏光となる）。従って、復路光としての参照光は、偏光ビームスプリッタ１３にて反射されることになる。
【００２１】
図１中では、このように偏光ビームスプリッタ１３にて反射された参照光を破線矢印により示している。図１中では、偏光ビームスプリッタ１３を透過した信号光を実線矢印により示している。偏光ビームスプリッタ１３によって、これら信号光と参照光とが重ね合わされた状態で同方向に出射される。具体的にこの場合、信号光と参照光とはそれらの光軸が一致するように重ね合わされた状態で同方向に出射される。ここで、参照光は、いわゆるコヒーレント光である。
【００２２】
偏光ビームスプリッタ１３から出力された信号光と参照光の重ね合わせ光は、ハーフビームスプリッタ１９に入射する。ハーフビームスプリッタ１９は、入射光をほぼ１：１の割合で反射光と透過光とに分割する。
【００２３】
ハーフビームスプリッタ１９を透過した信号光と参照光の重ね合わせ光は、１／２波長板２０を介して偏光ビームスプリッタ２１に入射される。一方、ハーフビームスプリッタ１９で反射した信号光と参照光の重ね合わせ光は、１／２波長板２２を介して偏光ビームスプリッタ２３に入射される。
【００２４】
１／２波長板２０および２２は、偏光面を回転させる。したがって、１／２波長板２０と偏光ビームスプリッタ２１とを組み合わせることによって、偏光ビームスプリッタ２１によって分岐される光量の比を調整することができる。同様に、１／２波長板２２によって、偏光ビームスプリッタ２３によって分岐される光量の比を調整することができる。
【００２５】
偏光ビームスプリッタ２１および２３のそれぞれによって分岐される光の光量がほぼ１：１となるようにされる。偏光ビームスプリッタ２１によって反射された光が光検出部２４に入射され、偏光ビームスプリッタ２１を透過した光が光検出部２５に入射される。偏光ビームスプリッタ２３によって反射された光が光検出部２６に入射され、偏光ビームスプリッタ２３を透過した光が光検出部２７に入射される。
【００２６】
光検出部２４から出力される受光信号をＩと表記し、光検出部２５から出力される受光信号をＪと表記し、光検出部２６から出力される受光信号をＬと表記し、光検出部２７から出力される受光信号をＫと表記する。これらの受光信号Ｉ〜Ｌは、図２に示すような構成の演算部に供給される。
【００２７】
演算部は、減算回路３１ａおよび３１ｂと、演算回路３２とからなる。減算回路３１ａに対して、受光信号ＩおよびＪが供給され、減算回路３１ａが（ａ＝Ｉ−Ｊ）の差分信号ａを発生し、演算回路３１ｂが（ｂ＝Ｋ−Ｌ）の差分信号ｂを発生する。減算回路３１ａの差分信号ａおよび減算回路３１ｂの差分信号ｂが演算回路３２に供給される。
【００２８】
演算回路３２は、遅延回路３３ａおよび３３ｂ、乗算回路３４ａおよび３４ｂ、ローパスフィルタ３５ａおよび３５ｂ、オフセット（φ）設定回路３６ａおよび３６ｂ、並びに加算回路３７を有する。遅延回路３３ａは、ローパスフィルタ３５ａおよびオフセット（φ）設定回路３６ａにおいて生じる遅延量に等しい遅延時間を有する。遅延回路３３ｂは、ローパスフィルタ３５ｂおよびオフセット（φ）設定回路３６ｂにおいて生じる遅延量に等しい遅延時間を有する。乗算回路３４ａの出力および乗算回路３４ｂの出力が加算回路３７に供給される。加算回路３７の出力に再生信号が取り出される。
【００２９】
上述した再生装置は、以下に説明するように、光記録媒体１の面ブレ等による参照光の位相ズレ（θ（ｔ））の成分の影響を受けない再生信号を得ることができる。
【００３０】
受光信号Ｉ〜Ｌは、下記の数式で示すものとなる。式中の各項の意味を下記に示す。
Ｒ：参照光成分
Ａ：光記録媒体の記録面に形成されるミラー面（ランド部分）の反射成分
ｆ：ピットの有／無に応じた変調成分（正負値をとる）
ｔ：サンプリング時間
φ：ピットの深さ（光学的深さ）等に相当する位相
θ：信号光と参照光の光路長差（主に光記録媒体１の面ブレに起因して生じる）
【００３１】
図３に示すように、対物レンズ１５と光記録媒体１の信号面との間の距離が面ブレによって変化すると、信号光の光路長が変化する。一方、参照光は、ミラー１８において反射するので、光路長が変化しない。その結果、信号光および参照光の間の位相差が設定した値とずれた値となる。この位相ずれの成分がθ(t)である。
【００３２】
【数１】
2015028823.tif 000003
【数２】
2015028823.tif 000004
【数３】
2015028823.tif 000005
【数４】
2015028823.tif 000006
【００３３】
減算回路３１ａの差分信号ａ（＝Ｉ−Ｊ）および減算回路３１ｂの差分信号ｂ（＝Ｋ−Ｌ）は、以下の式に示すものとなる。
【００３４】
【数５】
2015028823.tif 000007
【数６】
2015028823.tif 000008
【００３５】
図４Ａに示すように、ホモダイン検出を行わない通常の検出においても、再生信号のＤＣ成分が背景のミラー部分に対応して現れている。ホモダイン検出の場合、図４Ｂに示すように、ミラー部分に対応するＤＣ成分が上述した参照光光路長差に対応する位相θによってうねることになる。
【００３６】
この位相θを求めるために、図４Ｂに示す差分信号ａおよびｂをローパスフィルタ３５ａおよび３５ｂにそれぞれ供給する。ローパスフィルタ３５ａおよび３５ｂによって、図４Ｃに示すように、cosθ（ｔ）およびsinθ（ｔ）を求めることができる。すなわち、［数５］および［数６］において、ｆは、ピットの有／無に応じた変調成分（正負値をとる）としているので、関数ｆが乗算されている項が消えて、sinθおよびcosθの項が残ると考えられる。
【００３７】
（tanθ＝sinθ／cosθ）であるので、（arctanθ＝θ）によってθを求め、φ（オフセット
）を設定して、乗算回路３４ａにおいて、cos（φ−θ（ｔ））をａに乗算し、乗算回路３４ｂ
において、sin（φ−θ（ｔ））をｂに乗算する。そして、加算回路３７によって、これらの乗
算出力を加算する。加算回路３７から得られる再生信号は、以下の式に示すものとなる。
【００３８】
【数７】
2015028823.tif 000009
【００３９】
この数式から分かるように、再生信号では、θ（ｔ）の成分が消えて、安定した信号となる。なお、ホモダイン検出方式としては、ミラー１８の位置制御を行って、面ブレに伴い生じる信号光と参照光との位相差をキャンセルする方法もあるが、位相ダイバーシティ方式によれば、このようなミラー１８の位置制御のための構成を省略することができる。さらに、信号光の成分が参照光の成分で増幅された再生結果が得られることが分かる。すなわち、光記録媒体１の記録信号が増幅されて検出されるものであり、この点でＳＮＲの改善が図られる。なお、位相ダイバーシティ方式の用語は、差分信号ａおよびｂの二乗和（ａ2 ＋ｂ2 ）または二乗和の平方根を計算することによって、再生信号を求める方式を意味している。本明細書では、上述したように、cos
（φ−θ（ｔ））をａに乗算し、乗算回路３４ｂにおいて、sin（φ−θ（ｔ））をｂに乗算す
る演算に対しても位相ダイバーシティ方式の用語を使用している。
【００４０】
＜２．検出方法の一例＞
「再生対象の光記録媒体」
図５は、再生対象の光記録媒体１の記録面の構造を示している。図５Ａは記録面の一部を拡大した平面図であり、図５Ｂは記録面の一部を拡大した斜視図である。なお、図５Ｂは、再生のためのレーザ光が照射される側の面を示すすなわち、図面の上側より、再生のためのレーザ光が照射される。光記録媒体１には、グルーブＧとランドＬとが形成されている。ここで本明細書においては、ＢＤ（Blu-ray Disc：登録商標）の場合と同様に、再生のためのレーザ光が先に到達する側、すなわち凸部側をグルーブＧとし、凹部側をランドＬと称するものとする。
【００４１】
本開示の一実施の形態で再生対象とする光記録媒体１には、グルーブＧとランドＬの双方に対してピット列が形成されている。ピット列をトラックとすると、トラックピッチＴｐは、図６Ｂに示されるようにランドＬとグルーブＧとの形成ピッチと定義できる。トラックピッチＴｐが光学的限界値を超える狭ピッチに設定されることで、情報記録密度の向上が図られたものとなる。例えば、光記録媒体１におけるグルーブＧの形成ピッチが、従来の光記録媒体におけるトラックピッチ（ピット列の形成ピッチ）と同じであるとすると、光記録媒体１は、従来のほぼ２倍に情報記録密度が高められたものとなる。
【００４２】
ランドＬとグルーブＧとの間の段差（深さと適宜称する）をｄと表す。例えば光記録媒体１の屈折率をｎとすると、深さｄが「λ／８／ｎ」とされる。例えば再生波長λ＝４０５ｎｍ、ｎ＝１．５の条件であれば、約３３ｎｍの深さｄが形成される。
【００４３】
上述したようなランド／グルーブ記録の光記録媒体を図６Ａに示す光学系によって再生することを想定し、トラックピッチＴｐを変えた場合の再生信号（グルーブの再生信号またはランドの再生信号）のジッタをシミュレーションによって求めた結果を図６Ｂのグラフに示す。なお、ジッタは、再生性能を表す指標の一つであり、ジッタ以外の指標を使用しても良い。
【００４４】
図６Ａに示すように、レーザダイオード４１からのレーザ光がレンズ４２、偏光ビームスプリッタ４３および対物レンズ４４を通って光記録媒体１の信号面に照射される。信号面からの反射光が偏光ビームスプリッタ４３によって反射され、レンズ４５を介して光検出部４６に供給される。光検出部４６から再生信号が得られる。図６Ａに示す再生光学系は、上述したホモダイン検出を使用しないものである。
【００４５】
シミュレーションは、下記の計算条件で行った。なお、面ブレがないものとし、トラック間クロストークを減少させるような再生方法を使用するようにしている。
λ＝４０５ｎｍ、ＮＡ＝０．８５、リム＝６５％／６５％、グルーブデューティ＝５０％
傾斜＝９０°、マーク反射率＝０％、マーク幅＝０．９Ｔｐ、線密度＝２５ＧＢ一定
【００４６】
図６Ｂに示すグラフは、（Ｍｒｒ（ミラーを意味し、ｄ＝０）、（ｄ＝０．１２５λ）、（ｄ＝０．１５λ）、（ｄ＝０．１７５λ））のそれぞれについて、Ｔｐに対するジッタの値の変化を示している。例えば（Ｔｐ＝０．２２）において、ミラー以外のグルーブの深さに関して、ジッタを少ないものとできる。さらに、グルーブの深さが異なっても、ジッタの変化をほぼ同様のものとできる。
【００４７】
図７は、ランド／グルーブ記録の光記録媒体１をホモダイン検出を利用して再生する場合のシミュレーション結果を示している。図７Ａに示すように、ミラー４７が設けられ、光記録媒体１からの反射光（信号光）とミラー４７の反射光（参照光）とがレンズ４５を介して光検出部４６に供給される。
【００４８】
図７Ａに示す光学系を使用した場合のシミュレーションの結果を図７Ｂに示す。シミュレーションの計算条件は、図６Ｂと同様である。図７Ｂに示すグラフは、（Ｍｒｒ（ミラーを意味し、ｄ＝０）、（ｄ＝０．１λ）、（ｄ＝０．１２５λ＝λ／８）、（ｄ＝０．１５λ）、（ｄ＝０．１７５λ））のそれぞれについて、Ｔｐに対するジッタの値の変化を示している。
【００４９】
例えば（Ｔｐ＝０．１５）において、ミラーに比してジッタを少なくできる。しかしながら、深さｄの値によって、ジッタの値の変化がバラツキがある。すなわち、（ｄ＝０．１２５λ＝λ／８）の場合では、ジッタを大幅に改善できるのに対して、（ｄ＝０．１７５λ）の場合では、ジッタが大きすぎる。さらに、（ｄ＝０．１λ）および（ｄ＝０．１５λ）の場合のジッタの値は、充分良好とはいえない。ｄ＝λ／８とする場合には、グルーブの再生信号とランドの再生信号との間に９０°の位相差を生じさせることができるので、クロストークを少ないものとでき、ジッタを良好とできる。
【００５０】
＜３．本開示の一実施の形態＞
このように、特定のグルーブの深さｄの場合にしか、良好な再生性能が得られないことは、光記録媒体１の設計上の制約が生じる。しかも、ｄ＝λ／８の値は、比較的大きな値であり、グルーブ間のランドにマークを記録する面では、好ましいものとはいえない。さらに、ｄが大きい場合には、光ディスクを成型する場合に段差の壁の面を傾斜なく、きれいなものとすることが困難となる。したがって、ｄの値が（λ／８）に限定されないことが好ましい。
【００５１】
本開示の一実施の形態では、図１と同様の再生光学系を使用し、図２に示すのと同様の再生信号生成回路を使用する。図１の光検出部２４〜２７のそれぞれから出力される受光信号Ｉ〜Ｌが図８に示すような構成の再生信号生成回路に供給される。
【００５２】
再生信号生成回路は、減算回路３１ａおよび３１ｂと、演算回路３８とからなる。減算回路３１ａに対して、受光信号ＩおよびＪが供給され、減算回路３１ａが（ａ＝Ｉ−Ｊ）の差分信号ａを発生し、演算回路３１ｂが（ｂ＝Ｋ−Ｌ）の差分信号ｂを発生する。減算回路３１ａの差分信号ａおよび減算回路３１ｂの差分信号ｂが演算回路３８に供給される。
【００５３】
演算回路３８は、遅延回路３３ａおよび３３ｂ、乗算回路３４ａおよび３４ｂ、ローパスフィルタ３５ａおよび３５ｂ、オフセット（Ψ）設定回路３９ａおよび３９ｂ、並びに加算回路３７を有する。遅延回路３３ａは、ローパスフィルタ３５ａおよびオフセット（Ψ）設定回路３９ａにおいて生じる遅延量に等しい遅延時間を有する。遅延回路３３ｂは、ローパスフィルタ３５ｂおよびオフセット（Ψ）設定回路３９ｂにおいて生じる遅延量に等しい遅延時間を有する。乗算回路３４ａの出力および乗算回路３４ｂの出力が加算回路３７に供給される。加算回路３７の出力に再生信号が取り出される。
【００５４】
オフセット（Ψ）設定回路３９ａおよび３９ｂは、以下に説明するように、グルーブＧとランドＬとの段差、すなわち、深さｄに応じた位相のオフセットである。再生対象の光記録媒体１の深さｄの値は、予め分かっているので、オフセットΨを設定することが可能である。
【００５５】
上述した本開示の一実施の形態は、以下に説明するように、光記録媒体１の面ブレ等による参照光の位相ズレ（θ（ｔ））の成分の影響を受けず、しかも、トラック間クロストークが除去された再生信号を得ることができる。
【００５６】
ランド／グルーブ記録方法において、トラックピッチが狭くなると、隣接トラックからクロストークが発生する。図９に示すように、グルーブを再生する場合、グルーブの再生信号ｆ（ｔ）のみならず、隣接するランドの再生信号ｇ（ｔ）も混入する。グルーブの再生信号の位相φ＝０とすると、ランドの位相Ψ＝４πｎｄ／λ（λは、波長、ｎは、光記録媒体１の基板の屈折率である）となる。
【００５７】
図１に示す再生光学系を使用して受光信号Ｉ〜Ｌを求める。上述した数式と同様に、式中の各項の意味を下記に示す。
Ｒ：参照光成分
Ａ：光記録媒体の記録面に形成されるミラー面（ランド部分）の反射成分
ｆ：ピットの有／無に応じた変調成分
ｇ：隣接トラックからのクロストーク成分
ｔ：サンプリング時間
φ：ピットの深さ（光学的深さ）等に相当する位相
θ：信号光と参照光の光路長差（主に光記録媒体１の面ブレに起因して生じる）
【００５８】
【数８】
2015028823.tif 000010
【数９】
2015028823.tif 000011
【数１０】
2015028823.tif 000012
【数１１】
2015028823.tif 000013
【００５９】
さらに、図８に示す再生信号生成回路を使用して演算を行う。減算回路３１ａの差分信号ａ（＝Ｉ−Ｊ）および減算回路３１ｂの差分信号ｂ（＝Ｋ−Ｌ）は、以下の式に示すものとなる。
【００６０】
【数１２】
2015028823.tif 000014
【数１３】
2015028823.tif 000015
【００６１】
上述したように、ローパスフィルタ３５ａおよび３５ｂによって、cosθ（ｔ）およびsinθ（ｔ）を求める。すなわち、［数１２］および［数１３］において、ｆは、ピットの有／無に応じた変調成分（正負値をとる）としており、ｇが隣接トラックからのクロストーク成分いるので、関数ｆおよびｇが乗算されている項が消えて、sinθおよびcosθの項が残ると考えられる。（tanθ＝sinθ／cosθ）であるので、（arctanθ＝θ）によってθを求め、オフセット（Ψ）設定
回路３９ａおよび３９ｂによってΨ（オフセット）を設定して、乗算回路３４ａにおいて、sin
（Ψ−θ（ｔ））をａに乗算し、乗算回路３４ｂにおいて、cos（Ψ−θ（ｔ））をｂに乗算す
る。そして、加算回路３７によって、これらの乗算出力を加算する。加算回路３７から得られる再生信号は、以下の式に示すものとなる。
【００６２】
【数１４】
2015028823.tif 000016
【００６３】
［数１４］に示されるように、再生信号では、θ（ｔ）の成分が消えて、安定した信号となる。加えて、再生信号中には、隣接トラックの再生信号成分ｇ（ｔ）が含まれておらず、トラック間クロストークを除去される。なお、差分信号ａおよびｂの二乗和（ａ2 ＋ｂ2 ）または二乗和の平方根を計算することによって、再生信号を求めるようにしても良い。
【００６４】
図７Ａに示す光学系と同様の光学系を使用した場合のシミュレーションの結果を図１０に示す。シミュレーションの計算条件は、図６Ｂおよび図７Ｂと同様である。図１０に示すグラフは、（Ｍｒｒ（ミラーを意味し、ｄ＝０）、（ｄ＝０．１λ）、（ｄ＝０．１２５λ＝λ／８）、（ｄ＝０．１５λ）、（ｄ＝０．１７５λ））のそれぞれについて、Ｔｐに対するジッタの値の変化を示している。
【００６５】
図１０のグラフから分かるように、ミラー以外の全てのｄの値に関して、ジッタを少なくすることができる。上述した図７Ｂの場合では、（ｄ＝０．１２５λ＝λ／８）の場合のみ、ジッタを大幅に改善できるのに対して、本開示の一実施の形態では、ｄが他の値の場合でも、同様に、ジッタを大幅に改善することができる。
【００６６】
なお、本開示は、以下のような構成も取ることができる。
（１）
ランドとグルーブの双方に信号が記録される記録媒体に対して、光源より発せられた光を照射して前記ランドと前記グルーブの記録信号の双方を反映した信号光を得、且つ前記光源より発せられた光から参照光を生成し、前記信号光と前記参照光とを重ね合わせた重ね合わせ光に対し、ほぼ０°の位相差を与えた第１の信号光と参照光の組と、ほぼ１８０°の位相差を与えた第２の信号光と参照光の組と、ほぼ９０°の位相差を与えた第３の信号光と参照光の組と、ほぼ２７０°の位相差を与えた第４の信号光と参照光の組をそれぞれ生成する光学系と、
前記第１の信号光と参照光の組を第１受光素子、前記第２の信号光と参照光の組を第２受光素子、前記第３の信号光と参照光の組を第３受光素子、前記第４の信号光と参照光の組を第４受光素子によってそれぞれ受光する受光部と、
前記第１受光素子で得られる第１受光信号と前記第２受光素子で得られる第２受光信号との差分である第１差分信号と、前記第３受光素子で得られる第３受光信号と前記第４受光素子で得られる第４受光信号との差分である第２差分信号とを計算し、
前記第１差分信号および前記第２差分信号を使用した演算を行って、前記参照光の位相ズレと、前記ランドおよびグルーブ間の段差に応じた値の位相オフセットとが除去された再生信号を生成する再生信号生成回路と
を備える再生装置。
（２）
前記参照光は、前記光源より発せられた光をミラーにて反射させることによって生成される（１）に記載の再生装置。
（３）
前記再生信号生成回路は、
前記第１差分信号の低域成分を抽出した信号である第１低域信号をcosθとし、前記第２差分
信号の低域成分を抽出した信号である第２低域信号をsinθとしたとき、
ａｒｃｔａｎθ
を計算することで前記信号光と前記参照光との位相ずれθの値を得、該値θと前記位相オフセットを用いて演算を行う
（１）（２）の何れかに記載の再生装置。
（４）
前記位相オフセットは、（Ψ＝４πｎｄ／λ）（ｎは、屈折率、ｄは、前記ランドおよびグルーブ間の段差、λは光の波長）にほぼ等しいものとされる（１）（２）（３）の何れかに記載の再生装置。
（５）
前記再生信号生成回路は、
前記第１差分信号の値をａ、前記第２差分信号の値をｂとしたとき、
ａ・sin（Ψ−θ（ｔ））−ｂ・cos（Ψ−θ（ｔ））
の演算を行って再生信号を得る
（１）（２）（３）（４）の何れかに記載の再生装置。
（６）
ランドとグルーブの双方に信号が記録される記録媒体に対して、光源より発せられた光を照射して前記ランドと前記グルーブの記録信号の双方を反映した信号光を得、且つ前記光源より発せられた光から参照光を生成し、前記信号光と前記参照光とを重ね合わせた重ね合わせ光に対し、ほぼ０°の位相差を与えた第１の信号光と参照光の組と、ほぼ１８０°の位相差を与えた第２の信号光と参照光の組と、ほぼ９０°の位相差を与えた第３の信号光と参照光の組と、ほぼ２７０°の位相差を与えた第４の信号光と参照光の組を光学系によってそれぞれ生成し、
前記第１の信号光と参照光の組を第１受光素子、前記第２の信号光と参照光の組を第２受光素子、前記第３の信号光と参照光の組を第３受光素子、前記第４の信号光と参照光の組を第４受光素子によってそれぞれ受光し、
前記第１受光素子で得られる第１受光信号と前記第２受光素子で得られる第２受光信号との差分である第１差分信号と、前記第３受光素子で得られる第３受光信号と前記第４受光素子で得られる第４受光信号との差分である第２差分信号とを計算し、
前記第１差分信号および前記第２差分信号を使用した演算を行って、前記参照光の位相ズレと、前記ランドおよびグルーブ間の段差に応じた値の位相オフセットとが除去された再生信号を生成する
再生方法。
【００６７】
＜４．変形例＞
以上、本開示の実施の形態について具体的に説明したが、上述の各実施の形態に限定されるものではなく、本開示の技術的思想に基づく各種の変形が可能である。例えば、レーザ光源の波長は、４０５ｎｍ以外のものでも良い。さらに、位相オフセットを設定するための構成としては、電気的信号処理に限らず、光に対する光学的位相設定方法を使用することができる。例えば再生信号が最大となるように、ミラー１８の位置をアクチュエータによって変化させるフィードバック制御を行うようにしても良い。
【００６８】
さらに、再生光学系は、図１に示す構成に限らず、例えば４種類の受光信号Ｉ〜Ｌを得るために、ホモダイン検波光学系を使用しても良い。ホモダイン検波光学系は、ウォラストンプリズムを有しており、０°、９０°、１８０°、２７０°の各位相差を有する光を生成することができるものである。
【００６９】
また、上述の実施の形態の構成、方法、工程、形状、材料および数値などは、本開示の主旨を逸脱しない限り、互いに組み合わせることが可能である。
【符号の説明】
【００７０】
１・・・光記録媒体
１０・・・レーザ
１３、２１、２３・・・偏光ビームスプリッタ
１５・・・対物レンズ
１９・・・ハーフビームスプリッタ
２４〜２７・・・光検出部
３１ａ、３１ｂ・・・減算回路
３５ａ、３５ｂ・・・ローパスフィルタ
３６ａ、３６ｂ・・・オフセット（φ）設定回路
３９ａ、３９ｂ・・・オフセット（Ψ）設定回路
【図１】
2015028823.tif 000017
【図２】
2015028823.tif 000018
【図３】
2015028823.tif 000019
【図５】
2015028823.tif 000020
【図６】
2015028823.tif 000021
【図７】
2015028823.tif 000022
【図８】
2015028823.tif 000023
【図９】
2015028823.tif 000024
【図１０】
2015028823.tif 000025
【図４】
2015028823.tif 000026